(57)【要約】【課題】磁気記録装置の廃棄時に完全に情報を読み書きできないようにする。【解決手段】磁気記録装置１は、エンクロージャケース２内に密閉容器２１が設けられると共に、カバー４には密閉容器２１に針３２を挿入可能な挿通孔２８が設けられている。密閉容器２１内には、腐食物質２５が収容されている。磁気記録装置１の廃棄時には、針３２をエンクロージャケース２内に挿入して密閉容器２１に孔を形成する。この孔から腐食物質２５が放出されて磁気ディスク２５の磁気記録層を破壊する。これにより、磁気ディス５から情報を読み出したり、書き込んだりすることができなくなる。【選択図】図２
2010218625.tif 000002
【特許請求の範囲】
【請求項１】
磁気記録媒体と、
磁気記録媒体への情報の書き込み、及び前記磁気記録媒体からの情報の読み取りを行う磁気ヘッドと、
前記磁気記録媒体及び前記磁気ヘッドを収容するケースと、
前記ケース内に配置され、前記磁気記録媒体の磁気記録層を破壊する破壊材料を収容する収容部と、
を含むことを特徴とする磁気記録装置。
【請求項２】
前記ケースに前記収容部の一部を破壊する開封部材を挿入可能な挿通孔を設けたことを特徴とする請求項１に記載の磁気記録装置。
【請求項３】
前記開封部材は、針であることを特徴とする請求項２に記載の磁気記録装置。
【請求項４】
前記破壊材料は、前記磁気記録媒体の磁気記録層を腐食させる腐食物質であることを特徴とする請求項１に記載の磁気記録装置。
【請求項５】
前記破壊材料は、直径１００μｍ以下のパーティクルであることを特徴とする請求項１に記載の磁気記録装置。
【発明の詳細な説明】
【技術分野】
【０００１】
本発明は、磁気記録装置に関する。
【背景技術】
【０００２】
磁気記録装置としては、例えばコンピュータ等の記録装置として使用されるハードディスクがあげられる。この種の磁気記録装置では、回動自在なアームの先端にサスペンションを介して磁気ヘッドが取り付けられている。磁気ヘッドは、ヘッド素子を搭載したスライダを有し、ヘッド素子を介して磁気ディスクに保存されたデータにアクセスする構成を有する。
【０００３】
ここで、ハードディスクなどの磁気記録装置を廃棄する際には、記録された情報を完全に消去する必要がある。これは、磁気記録装置に残された情報が第三者に漏洩することを防止するためである。ところが、磁気的な消去方法は、磁気情報を上書き記録するだけなので、完全に情報を消去できない可能性があった。このため、廃棄時に磁気記録装置の磁気記録媒体を機械的に破壊して情報の読み書きが全くできなくなるようにすることが望まれていた。
【０００４】
従来の磁気記録装置の廃棄時の処理について、磁気カードを磁気記録媒体として使用する磁気リーダライタを例にして説明する。磁気リーダライタには、磁気ヘッドとサーマルヘッドが設けられ、磁気リーダライタに取り込まれる磁気カードには予め破壊可能層が設けられている。そして、破壊可能層の上に磁気記録装置が形成される。磁気リーダライタは、磁気カードを廃棄すべきものである場合、サーマルヘッドで破壊可能層を破壊する。これによって、破壊可能層の上に形成されている磁気記録層が破壊され、情報の読み書きができなくなる。
【先行技術文献】
【特許文献】
【０００５】
【特許文献１】国際公開ＷＯ９７／４８０９６号明細書
【発明の概要】
【発明が解決しようとする課題】
【０００６】
しかしながら、従来の磁気カードを廃棄するための装置構成は、磁気記録媒体がエンクロージャケース内に収容されているハードディスクには使用することができなかった。
また、磁気記録装置がハードディスクである場合に、情報を磁気的に消去する方法では、磁気記録装置に電力を供給できない場合や、電力を供給しても磁気記録装置が動作しない場合には、磁気記録媒体に記録された情報を消去できなかった。
【０００７】
さらに、磁気記録装置がコンピュータ等に使用されるハードディスク装置である場合、コンピュータ等からハードディスク装置を取り出して別のコンピュータに搭載したり、磁気記録媒体を取り出したりすることで、その磁気記録装置の情報を読み出すことができる場合があるので、磁気記録装置から完全に情報を読み書きできないようにすることが望まれていた。
【課題を解決するための手段】
【０００８】
本願の一観点によれば、磁気記録媒体と、磁気記録媒体への情報の書き込み、及び前記磁気記録媒体からの情報の読み取りを行う磁気ヘッドと、前記磁気記録媒体及び前記磁気ヘッドを収容するケースと、前記ケース内に配置され、前記磁気記録媒体の磁気記録層を
破壊する破壊材料を収容し、かつ機械的に一部が破壊されることで前記破壊材料を放出する収容部と、を含むことを特徴とする磁気記録装置が提供される。
【０００９】
発明の目的および利点は、請求の範囲に具体的に記載された構成要素および組み合わせによって実現され達成される。
前述の一般的な説明および以下の詳細な説明は、典型例および説明のためのものであって、本発明を限定するためのものではない、と理解すべきである。
【発明の効果】
【００１０】
本発明によれば、収容部から破壊材料を放出させることで磁気記録媒体の磁気記録層を破壊するようにしたので、磁気記録媒体からの情報の読み出しを確実に防止できるようになる。
【図面の簡単な説明】
【００１１】
【図１】図１は、本発明の第１の実施の形態に係る磁気記録装置のエンクロージャケースのカバーを外した状態の平面図である。
【図２】図２は、図１のＩ−Ｉ線に沿った断面図である。
【図３】図３は、磁気記録装置の廃棄時の動作を説明する図である。
【図４】図４は、針の形状の一例を示す図である。
【図５】図５は、破壊デバイスの一例を示す断面図である。
【図６】図６は、破壊デバイスの変形例を示す断面図である。
【図７】図７は、破壊デバイスの変形例を示す断面図である。
【図８】図８は、磁気ヘッドの浮上試験の結果を示す図である。
【図９】図９は、本発明の第２の実施の形態に係る磁気記録装置の一部断面図である。
【図１０】図１０は、磁気ヘッドの浮上試験の結果を示す図である。
【図１１】図１１は、磁気記録装置の変形例における平面図である。
【図１２】図１２は、図１１のＩＩ−ＩＩ線に沿った断面図である。
【発明を実施するための最良の形態】
【００１２】
本発明の好ましい実施形態について図面を参照して説明する。図面において、同様の構成要素には同じ参照番号が付されている。
【００１３】
（第１の実施の形態）
図１に、磁気記録装置の一例としてハードディスク装置の平面図を示す。ここでは、エンクロージャケースのカバーが外された状態が示されている。また、図２に、図１のＩ−Ｉ線に沿った断面図を示す。
【００１４】
磁気記録装置１は、エンクロージャ本体２と、エンクロージャ本体２の上部の開口を塞ぐカバー３とからなるエンクロージャケース４を有している。
エンクロージャ本体２は、内部空間の略中央に磁気記録媒体である磁気ディスク５がスピンドルモータによって回転可能に配置されている。さらに、エンクロージャ本体２内には、キャリッジアーム６が回転軸７を中心に回動可能に取り付けられている。キャリッジアーム６は、板ばね状のサスペンション８を有し、サスペンション８の先端部には磁気ヘッド９が取り付けられている。磁気ヘッド９は、磁気ディスク５の情報を読み込んだり、磁気ディスク５に情報を書き込んだりできるように構成されている。
【００１５】
さらに、エンクロージャ本体２には、制御装置１０が搭載されている。制御装置１０は、回転軸７の回動制御等、磁気記録装置１の動作を制御する。例えば、制御装置１０が回転軸７を回動させるとキャリッジアーム６が磁気ディスク３の上方を回動する。これにより、磁気ヘッド９が磁気ディスク５のトラック幅方向に移動して所望のトラックにロード
される。
【００１６】
ここで、エンクロージャ本体２は、底板と底板を囲む壁面とからなり、中央部分が凹形状になっている。さらに、エンクロージャ本体２の底板と壁面とで形成される４つの隅部の内の磁気ディスク５に近い１つ隅部２Ａには、収容部である密閉容器２１が固定されている。図２に示すように、密閉容器２１は、有底筒形状の容器本体２２と、容器本体２２の開放された端部を密閉する蓋２３とからなり、容器本体２２の底部が例えば接着剤でエンクロージャ本体２に固定されている。蓋２３は、破壊デバイス３１によって破壊可能な厚さ及び強度になっている。このような密閉容器２１は、例えば、ポリエチレンのような樹脂、又は肉薄のアルミニウムのような金属から製造されている。
【００１７】
さらに、密閉容器２１内には、破壊物質として腐食物質２５が収容されている。腐食物質２５としては、例えば酢酸、トリフルオロ酢酸や塩酸、テトラフルオロプロピオン酸などの酸性物質、アンモニアなどのアルカリ性物質があげられる。腐食物質２５は、常温での蒸気圧が高い、つまり揮発性のある液体であることが好ましい。さらに、人体に対する影響がないか、影響が極めて少ない物質であることが望ましい。なお、腐食物質２５は、揮発性が高く、磁気ディスク５の磁気記録層を腐食可能な物質であれば固体でも良い。
【００１８】
また、エンクロージャケース４のカバー３には、密閉容器２１の接着位置に対応して挿通孔２７が形成されている。挿通孔２７の中心位置は、密閉容器２１の蓋２３の中央に一致させてある。なお、挿通孔２７の中心位置は、蓋２３上であれば必ずしも中央に一致していなくても良い。
【００１９】
挿通孔２７の大きさは、破壊デバイス３１を挿通可能な大きさであり、例えば直径１ｍｍ〜３ｍｍになっている。さらに、挿通孔２７は隔壁２８で閉鎖されている。隔壁２８は、気密性を有する薄膜からなり、破壊デバイス３１で破壊可能な厚さ及び強度になっている。隔壁２８を設けることで、挿通孔２８を通って異物が磁気記録装置１の内部に侵入することが防止される。また、破壊デバイス３１を使用したときは隔壁２８が破壊されるので、破壊デバイス３１の使用を外側から確認できるようになる。なお、ハードディスク装置１は、隔壁２８を設けずに挿通孔２７のみを設けても良い。
【００２０】
図３に示すように、破壊デバイス３１は、先端が鋭利な針３２を有する。密閉容器２１の蓋２３に腐食物質２５を流出させるのに十分な大きさの孔を形成できる形状の開封部材である。
【００２１】
ここで、図４に例示するように、針３２の先端部分に、内側に凸となる凹部３３を形成しても良い。この場合の針３２の先端部分の断面形状は、三角形や四角形などの多角形、星形などになる。これにより、針３２と密閉容器２１の蓋２３との間に、隙間ができ易くなり、針３２を蓋２３に刺したままでも針３２の凹部３３と蓋２３とが形成する隙間を通って腐食物質２５が容易に流出するようになる。
【００２２】
また、図示を省略するが、針３２の一部分のみに切り欠きを設けたり、針３２に孔を設けて針３２を密閉容器２１に刺入したときに密閉容器２１内とエンクロージャ本体２とが切り欠きや孔を通して連通するようにしても良い。これらの場合は、針３２が蓋２１に刺さったままでも切り欠きや孔を通って腐食物質２５が容易に流出するようになる。
【００２３】
破壊デバイス３１が針３２のみから構成される場合、その使用時には作業員が手で針３２を挿入することで、隔壁２８を破壊してエンクロージャケース４内に進入させ、密閉容器２１の蓋２３を貫通させる。手動で針３２を刺入する場合には、針３２の操作が容易になるように、手元側の針３２の頭部を大径にしたり、グリップを設けたりすることが好ま
しい。
【００２４】
また、図５に例示するように、破壊デバイス３１は、針３２と、針３２を駆動させる駆動装置３４を有する構成にしても良い。駆動装置３４としては、例えば、カバー３から外側に露出する針３２の端部をレバーで機械的に押し込む構成や、ソレノイドコイルを利用して針３２を電気的に駆動させる構成があげられる。駆動装置３４を含む破壊デバイス３１は、磁気記録装置１に取り付けられても良いし、磁気記録装置１が搭載される他の機器に取り付けられても良い。
【００２５】
さらに、図６に示すように、破壊デバイス３１は、コイルバネ３５を含んでも良い。コイルバネ３５は、針３２の頭部３２Ａとカバー３の間に挿入され、針３２を密閉容器２１から離れる方向に付勢する。廃棄時には、手又は駆動装置３４で針３２の頭部３２Ａを押し込んでコイルバネ３５を圧縮させながら密閉容器２１に刺入させる。その後、手又は駆動装置３４から入力される力を解除すると、コイルバネ３５の復元力によって針３２が密閉容器２１から退避する。針３２が蓋２３から退避することで、腐食物質２５が放出するための穴の開口面積が大きくなり、腐食物質２５をさらに放出し易くなる。なお、コイルバネ３５の代わりに、板バネを用いても良い。
【００２６】
また、図７に例示するように、破壊デバイス３１は、カバー３の外側に挿通孔２８を囲む壁部４０を含んでも良い。壁部４０は、カバー３から略環状に突設されており、壁部４０が形成する開口部４０Ａが板材４１で密閉されている。さらに、板材４１の内側には、針３２が取り付けられている。針３２の先端部分は、挿通孔２８を通って、エンクロージャケース４内に挿入されている。このような破壊デバイス３１では、板材４１で挿通孔２８の周囲を覆うので隔壁２８が不要になる。
【００２７】
針３２を押し込むときは、手又は駆動装置３４で板材４１をカバー３に向って押し込む。これにより、針３２が密閉容器２１の蓋２３に刺さって腐食物質２５が放出される。ここで、板材４１が弾性変形可能な材料から製造されている場合には、針３２を押し込む力が取り除かれると、針３２が元の位置に戻るので、針３２が密閉容器２１の蓋２３から抜けて腐食物質２５がさらに放出され易くなる。また、板材４１は、針３２を押し込んだときに破壊されるような材料から製造しても良い。この場合は、針３２を押し込んだときに板材４１が破壊されるので、データを消去したことを目視で確認できるようになる。このため、磁気ディスク５の破壊を確認し易くなる。
【００２８】
なお、開封部材は、密閉容器２１の蓋２３を機械的に破壊できる構成であれば良く、針３２に限定されない。例えば、針３１の代わりに先端が鋭利に加工されたネジを使用しても良い。この場合、カバー３の挿通孔２８には、ネジに対応する溝を刻んでおく。このようにすることで、ドライバーなどでネジを回転させながら押し込むだけで腐食物質２５を放出できるようになる。さらに、隔壁２８がなくてもエンクロージャケース４の密閉性が高くなると共に、ネジと密閉容器２１の蓋２３との位置ずれが生じ難くなる。
【００２９】
また、破壊デバイス３１は、磁気記録装置１に取り付けられていても良いし、磁気記録装置１とは別に設けられても良い。例えば、破壊デバイス３１が針３２のみで構成される場合、エンクロージャケース２のカバー４等に針３２を収容する凹部を設け、破壊デバイス３１を使用しないときは針３２を凹部に収容しても良い。また、破壊デバイス３１は、磁気記録装置１を搭載する他の装置、例えばパーソナルコンピュータなどに取り付けても良い。他の装置に取り付ける場合には、他の装置に破壊デバイス３１を駆動させるためのスイッチ等を設けると廃棄作業が容易になる。
【００３０】
このように、腐食物質２５を収容した密閉容器２１を設置することで、磁気ディスク５
の磁気記録層を化学的に破壊することが可能になるので、磁気記録装置１を安全に廃棄することが可能になる。密閉容器２１を針３２で破壊して腐食物質２５を放出するようにしたので、磁気記録装置１に電力が供給されていないときでも磁気ディスク５の磁気記録層を破壊することが可能になる。
【００３１】
（実施例１）
密閉容器２１は、ポリエチレン製とし、その寸法は内径が１０ｍｍ、高さが２ｍｍで蓋２３の板圧を０．５ｍｍとした。密閉容器２１には、腐食物質２５としてトリフルオロ酢酸を充填すると共に、エンクロージャ本体２に接着剤で固定した。カバー３の挿通孔２８は、密閉容器２１の真上に外径１ｍｍで形成した。
さらに、磁気ヘッド９に圧電素子からなるＡＥ（アコーステックエミッション）センサを取り付けて、磁気ヘッド９が磁気ディスク５に接触したときに信号が出力されるようにした。
【００３２】
このような磁気記録装置１を用いて、磁気ヘッド９の浮上試験を行った結果を図８に示す。横軸は時間経過を示し、縦軸はＡＥセンサの出力を示す。試験時の磁気ディスク５の回転数は７２００ｒｐｍとした。この浮上試験は、磁気記録装置１の廃棄時に磁気ディスク５の磁気記録層が破壊されることを確認するためのテストとして実施した。すなわち、ＡＥセンサの出力がグランドレベルのときは磁気ヘッド９が磁気ディスク５から正常に浮上していることを示す。ＡＥセンサから信号出力があるときは磁気ヘッド９が磁気ディスク５に対して正常に浮上していないこと、例えば磁気ヘッド９が磁気ディスク５に接触していることを示す。
【００３３】
試験開始から１８００秒で、針３２を挿入して密閉容器２１に穴を開けたところ、徐々にＡＥセンサの出力が増加した。これは、密閉容器２１内のトリフルオロ酢酸が磁気記録装置１内に拡散し、磁気ディスク５の表面から内部をかけて腐食させ、化学反応によって磁気ディスク５の磁気記録層を破壊させたためである。そして、磁気ディスク５の腐食によって、磁気ディスク５と磁気ヘッド９が接触したため、ＡＥセンサの出力が増加したと考えられる。この結果、この磁気記録装置１では、磁気記録情報の読み込み及び書き込みを不可能にすることができることがわかった。
【００３４】
（第２の実施の形態）
図９に示すように、この実施の形態に係る磁気記録装置１は、密閉容器２１を有し、密閉容器２１内には破壊物質としてパーティクル５１が収容されている。パーティクル５１には、例えばアルチック粉やガラス粉、ダイヤモンド粉など、直径が１００μｍ程度の固体が用いられる。その他の装置構成は、第１の実施の形態と同様である。
【００３５】
この磁気記録装置１では、破壊デバイス３１で密閉容器２１が破壊されると、パーティクル５１がエンクロージャケース４内に放出可能になる。磁気記録装置１に電力を供給して磁気ディスク５を回転させると、エンクロージャケース４内に対流が生じ、この対流によってパーティクル５１がエンクロージャケース４内で拡散し、磁気ディスク５に付着して磁気ディスク５の磁気記録層を破壊する。
【００３６】
ここで、破壊材料としてパーティクル５１を使用する場合には、パーティクル５１が放出可能になった後に磁気ディスク５を回転させるか、他の手段でエンクロージャケース４内に対流を生じさせる必要がある。なお、密閉容器２１の蓋２３を破壊してパーティクル５１を放出可能した状態で磁気記録装置１を放置し、次に電力を供給されたときに磁気ディスク５の磁気記録層を破壊させても良い。
【００３７】
この磁気記録装置１では、パーティクル５１を収容した密閉容器２１を設置することで
、磁気ディスク５の磁気記録層を機械的に破壊することが可能になるので、磁気記録装置１を安全に廃棄することが可能になる。
【００３８】
（実施例２）
図１０に磁気ヘッド９の浮上試験の結果を示す。パーティクル５１にはアルチック粉を用い、他の試験の条件及び装置構成は第１の実施の形態と同様にした。試験開始から１８００秒で針３２を使って密閉容器２１に穴を開けたところ、ＡＥセンサの出力が増加した。これは、密閉容器２１内のアルチック粉が磁気ヘッド９と磁気ディスク５の間の隙間に入ることで噛み込みを生じ、磁気ディスク５が傷付いたためである。この結果、磁気記録情報１の読み込み及書き込みが不可能になった。
なお、パーティクル５１を用いることで、図８に示す浮上試験の結果に比べて磁気ヘッド９が磁気ディスク５に衝突するまでに要する時間が短くなった。
【００３９】
なお、各実施の形態の変形例を以下に説明する。
図１１及び図１２に示すように、エンクロージャ本体２の隅部２Ａが肉厚に成形されている場合は、肉厚な隅部２Ａに凹部６１を形成すると共に、カバー３に面する凹部６１の開口に蓋２３を取り付けて密閉容器６２を形成しても良い。ここで、蓋２３とカバー４の間に腐食物質２５やパーティクル５１を拡散させるのに十分な空間がない場合には、隅部２Ａにガイド溝６３を設け、凹部６１から磁気ディスク５に向う流路を形成すると良い。この場合、密閉容器６２の蓋２３は、ガイド溝６３の底部と略同じ高さ、又はより低い位置に取り付けられる。
【００４０】
この磁気記録装置１では、腐食物質２５やパーティクル５１は蓋２３に形成された穴からガイド溝６３を通って磁気ディスク５に到達する。蓋２３とカバー４の間に腐食物質２５やパーティクル５１を拡散させるのに十分な空間がある場合には、その空間を利用することができるのでガイド溝６３は設けなくても良い。
【００４１】
さらに、挿通孔２８を外側からシールするシートをカバー３に貼り付けても良い。このシートは、破壊デバイスの針３２が貫通不能な材料から製造される。磁気記録装置１を廃棄するときは、シートを剥がしてから針３２を刺入する。シートは、一度剥がすと張り直しができない接着剤で貼り付けることが好ましい。シートが剥がれていなければ、磁気記録装置１が破壊されていないことになるので、作業時の確認作業が容易になる。
【００４２】
ここで挙げた全ての例および条件的表現は、発明者が技術促進に貢献した発明および概念を読者が理解するのを助けるためのものであり、ここで具体的に挙げたそのような例および条件に限定することなく解釈すべきであり、また、明細書におけるそのような例の編成は本発明の優劣を示すこととは関係ない。本発明の実施形態を詳細に説明したが、本発明の精神および範囲から逸脱することなく、それに対して種々の変更、置換および変形を施すことができると理解すべきである。
【符号の説明】
【００４３】
１      磁気記録装置
２      エンクロージャ本体（ケース）
３      カバー（ケース）
４      エンクロージャケース
５      磁気ディスク（磁気記録媒体）
９      磁気ヘッド
２１，６２      密閉容器（収容部）
２３      蓋
２５      腐食物質（破壊材料）
３１      破壊デバイス
３２      針（開封部材）
５１      パーティクル（破壊材料）
【図１】
2010218625.tif 000003
【図２】
2010218625.tif 000004
【図３】
2010218625.tif 000005
【図４】
2010218625.tif 000006
【図５】
2010218625.tif 000007
【図６】
2010218625.tif 000008
【図７】
2010218625.tif 000009
【図８】
2010218625.tif 000010
【図９】
2010218625.tif 000011
【図１０】
2010218625.tif 000012
【図１１】
2010218625.tif 000013
【図１２】
2010218625.tif 000014